(57)【要約】  本発明は、電気的または電子的機能モジュール（２）を受容するための筐体（１）に関し、この筐体は、第１面セクション（１０１）と、第１面セクション（１０１）に配置された少なくとも１つの第１接続セクション（１００）と、を備えた第１筐体要素（１０）と、第２面セクション（１１１）と、第２面セクション（１１１）に配置された少なくとも１つの第２接続セクション（１１０）と、を備えた第２筐体要素（１１）であって、第１筐体要素（１０）および第２筐体要素（１１）は、少なくとも１つの第１接続セクション（１００）および少なくとも１つの第２接続セクション（１１０）を通じて互いに対して接続されることが可能な、第２筐体要素（１１）と、を備えている。それに加えて、中間要素（２）が設けられ、この中間要素は、第１筐体要素（１０）と第２筐体要素（１１）とを接続するために、少なくとも１つの第１接続セクション（１００）と少なくとも１つの第２接続セクション（１１０）との間に配置されることが可能であり、中間要素（２）は、少なくとも１つの第１接続セクション（１００）および少なくとも１つの第２接続セクション（１１０）の接続とは無関係に、追加の機能を提供するための少なくとも１つの機能デバイスを備えている。
2020515072.tif 000002
【特許請求の範囲】
【請求項１】
電気的または電子的機能モジュール（２）を受容するための筐体（１）であって、
第１面セクション（１０１）と、該第１面セクション（１０１）に配置された少なくとも１つの第１接続セクション（１００）と、を備えた第１筐体要素（１０）と、
第２面セクション（１１１）と、該第２面セクション（１１１）に配置された少なくとも１つの第２接続セクション（１１０）と、を備えた第２筐体要素（１１）であって、前記第１筐体要素（１０）および前記第２筐体要素（１１）は、少なくとも１つの前記第１接続セクション（１００）および少なくとも１つの前記第２接続セクション（１１０）を通じて互いに対して接続されることが可能な、第２筐体要素（１１）と、
を備え、
中間要素（２）は、前記第１筐体要素（１０）と前記第２筐体要素（１１）とを接続するために、少なくとも１つの前記第１接続セクション（１００）と少なくとも１つの前記第２接続セクション（１１０）との間に配置されることが可能であり、前記中間要素（２）は、少なくとも１つの前記第１接続セクション（１００）および少なくとも１つの前記第２接続セクション（１１０）の接続とは無関係に、追加の機能を提供するための少なくとも１つの機能デバイスを備えている、筐体（１）。
【請求項２】
少なくとも１つの前記第１接続セクション（１００）は、前記第１面セクション（１０１）から突出した第１支柱によって形成され、且つ／または少なくとも１つの前記第２接続セクション（１１０）は、前記第２面セクション（１１１）から突出した第２支柱によって形成されている、請求項１に記載の筐体（１）。
【請求項３】
前記第１面セクション（１０１）は四角形状を有し、第１接続セクション（１００）は前記第１面セクション（１０１）の各コーナーに配置され、且つ／または
前記第２面セクション（１１１）は四角形状を有し、第２接続セクション（１１０）は前記第２面セクション（１１１）の各コーナーに配置されている、請求項１または２に記載の筐体（１）。
【請求項４】
前記第１筐体要素（１０）と前記第２筐体要素（１１）とが、互いに対して接続された場合、パネル要素（１２）は前記筐体（１）の側壁を形成し、且つインターロックすることによって、前記第１筐体要素（１０）と前記第２筐体要素（１１）との間に保持される、請求項１から３のいずれか一項に記載の筐体（１）。
【請求項５】
前記機能デバイスは、
前記筐体（１）を壁（６）に固定するための装着デバイス（２１）、
筐体開口（１２０）を覆うためのカバー要素、または
少なくとも１つの部品を前記筐体（１）に固定するための固定デバイス（２５）、
を形成している、請求項１から４のいずれか一項に記載の筐体（１）。
【請求項６】
前記中間要素（２）は、少なくとも１つの前記第１接続セクション（１００）と少なくとも１つの前記第２接続セクション（１１０）との間に配置されることが可能な本体（２０）を備え、インターロックすることによって、少なくとも１つの前記第１接続セクション（１００）および／または少なくとも１つの前記第２接続セクション（１１０）に接続されることが可能である、請求項１から５のいずれか一項に記載の筐体（１）。
【請求項７】
装着デバイス（２１）を形成した前記機能デバイスは、前記中間要素（２）の本体（２０）から前記第１面セクション（１０１）または前記第２面セクション（１１１）の方向に延びたスカート（２１５）を備えている、請求項６に記載の筐体（１）。
【請求項８】
前記筐体（１）の外側の前記スカート（２１５）は、少なくとも断面において、少なくとも１つの前記第１接続セクション（１００）および／または少なくとも１つの前記第２接続セクション（１１０）を局所的に覆っている、請求項７に記載の筐体（１）。
【請求項９】
前記筐体（１）を壁（６）に固定するための固定点（２１１）を備えた固定フランジ（２１０）は、前記スカート（２１５）から突出している、請求項７または８に記載の筐体（１）。
【請求項１０】
前記スカート（２１５）は、固定要素（２２）にインターロックすることによって接続されることが可能であり、前記固定要素は、前記筐体（１）を壁（６）に配置するために前記壁に（６）に配置されることが可能である、請求項７または８に記載の筐体（１）。
【請求項１１】
カバー要素（２４）を形成した前記機能デバイスは、前記本体（２０）から延びた筐体壁（２４０）を備えている、請求項６に記載の筐体（１）。
【請求項１２】
前記筐体壁（２４０）は、第１接続セクション（１００）と第２接続セクション（１１０）との間に配置されることが可能な中間要素（２）の本体（２０）に、両側において接続されている、請求項１１に記載の筐体（１）。
【請求項１３】
固定デバイス（２５）を形成した前記機能デバイスは、前記本体（２０）に接続された固定本体（２５０）を備え、該固定本体には、少なくとも１つの電線が固定されることが可能である、請求項６に記載の筐体（１）。
【請求項１４】
前記固定本体（２５０）は、第１接続セクション（１００）と第２接続セクション（１１０）との間に配置されることが可能な中間要素（２）の本体（２０）に、両側において接続されている、請求項１３に記載の筐体（１）。
【請求項１５】
前記筐体（１）のための支持を提供するための、または前記筐体（１）をさらなる筐体に接続するためのコーナー要素（４、５）は、前記第１筐体要素（１０）および／または前記第２筐体要素（１１）に取り付けられることが可能である、請求項１から１４のいずれか一項に記載の筐体（１）。
【請求項１６】
中間要素（２）のグループは、種々の機能デバイスを備え、前記中間要素（２）のグループから、任意の中間要素（２）が前記筐体（１）を装着するために選択されることが可能である、請求項１から１５のいずれか一項に記載の筐体（１）のためのキット。
【発明の詳細な説明】
【技術分野】
【０００１】
本発明は、請求項１の前段による電気的または電子的機能アセンブリを受容するための筐体に関する。
【背景技術】
【０００２】
このタイプの筐体は、第１面セクションと、第１面セクションに配置された少なくとも１つの第１接続セクションと、を備えた第１筐体要素と、第２面セクションと、第２面セクションに配置された少なくとも１つの第２接続セクションと、を備えた第２筐体要素であって、第１筐体要素および第２筐体要素は、少なくとも１つの第１接続セクションおよび少なくとも１つの第２接続セクションを通じて、互いに対して接続されることが可能な、第２筐体要素と、を備えている。
【０００３】
筐体は、印刷基板回路（回路基板とも称される）を収容するように、特にデザインされることが可能であり、この回路と共に、例えばいわゆる「シングルボードコンピュータ」などの、例えば電子コンピュータデバイスが実現される。そのようなシングルボードコンピュータの場合、コンピュータデバイスは単一の回路基板上に完全に収容され、この回路基板は、小型デザインのコンピュータデバイスをこのようにして提供するために、筐体内に収容されることが可能である。
【０００４】
しかしながら、筐体は、他の電気または電子デバイス受容するためのモジュールベース上で使用されることが可能である。筐体は、例えば支持レール上に、または産業設備の開閉装置キャビネット内に装着され、これにより筐体内に収容された電気または電子デバイスは、産業設備の枠組み内に例えば制御または評価機能を取り入れることが可能なデバイスを創出するために、他のモジュールと組み合わされることが可能である。
【０００５】
筐体要素は、電気的または電子的機能モジュールを筐体内に収容するために、互いに対して取り付けられることが可能な例えば筐体半体として実施されることが可能である。この場合、電気的または電子的機能モジュールは、筐体半体の一方にあらかじめ固定され、筐体は筐体半体を一体に結合することによって閉じられ、機能モジュールは筐体内に収容されることが可能である。
【０００６】
特許文献１から既知の筐体においては、筐体部品は、筐体を製造するために互いに対して取り付けられ、筐体は、筐体部品の間に収容される前パネルを一側に備えている。
【０００７】
特許文献２は固定デバイスを開示しており、これを用いて、印刷回路基板は、筐体の筐体要素に固定されることが可能である。
【０００８】
特許文献３は別の固定デバイスを開示しており、第１の対の交差部材は、筐体要素に固定される。第２の対の交差部材は、サポートを用いて第１の対の交差部材に調節可能にガイドされている。例えば印刷回路基板形式の機能モジュールは、第２の対の交差部材に固定されることが可能である。
【０００９】
そのような筐体は、電気的または電子的機能モジュールと共に固定荷的に装着されることが可能であるべきであり、その内部に収容された電気的または電子的機能モジュールを伴って、幅広い環境において且つ幅広い目的のために、多様に使用されることが可能であるべきである。したがって、そのような筐体を、例えば産業設備の枠組み内の開閉装置キャビネット内に配置することが可能であるべきであり、例えば電線は、例えば筐体内に収容された電気的もしくは電子的機能モジュールの電力供給部に、または電気的もしくは電子的機能モジュールのデータラインの経路に接続するために、筐体への経路を形成する。
【００１０】
この場合、筐体を所望の使用に適応するために、モジュールシステムの態様で柔軟に筐体を組み立てることが可能であってもよい。
【先行技術文献】
【特許文献】
【００１１】
【特許文献１】独国実用新案登録出願公開第２００  ０４  ２６１号明細書
【特許文献２】米国特許出願公開第２００７／０１１４１９４号明細書
【特許文献３】独国特許出願公開第１９８  １１  ７２７号明細書
【発明の概要】
【発明が解決しようとする課題】
【００１２】
本発明の目的は、多様な目的のための多様な規則に適応することが可能な筐体を提供することである。
【課題を解決するための手段】
【００１３】
この目的は、請求項１の特徴を備えた対象物によって達成される。
【００１４】
したがって、中間要素は、第１筐体要素と第２筐体要素とを一体に接続するために、少なくとも１つの第１接続セクションと少なくとも１つの第２接続セクションとの間に配置されることが可能なように設けられ、中間要素は、少なくとも１つの第１接続セクションおよび少なくとも１つの第２接続セクションの接続とは無関係に、追加の機能を提供するための少なくとも１つの機能デバイスを備えている。
【００１５】
モジュールシステムの一部として筐体を提供することが考えられ、且つ可能である。このようにして、第１筐体要素および第２筐体要素は、同一部品として提供されることが可能であり、同一の構造である筐体半体として実施されることが可能であり、これらの筐体半体は、筐体を装着するために互いに対して取り付けられることが可能である。この場合、筐体要素は筐体要素に設けられた接続セクションを通じて接続され、筐体要素は、１つ以上の中間要素の介在を伴って、互いに対して取り付けられ、これにより、各中間要素は、第１筐体要素の側の第１接続セクションと、第２筐体要素の側の第２接続セクションと、の間に位置するようになる。
【００１６】
例えば、筐体要素が同一の部品として設計され得る一方で、異なった中間要素を備えた異なった筐体が、特別な機能または用途のために筐体を適合させるように使用され得る。この場合、特別な機能は中間要素を通じて筐体に獲得可能であり、その機能は、例えば装置の壁または切り替え装置キャビネットの壁のような、例えば筐体の壁への筐体の固定を可能にするためのものであり、例えば電線のような部品を筐体に固定するためのものであり、筐体への担持手段を配置するためのものであり、または筐体に完全に異なった機能を提供するためのものである。
【００１７】
少なくとも１つの第１接続セクションおよび少なくとも１つの第２接続セクションの接続に関わらず、追加の機能を提供するための少なくとも１つの機能デバイスを備えた中間要素は、この場合、互いに対して筐体要素の接続セクションを接続するために使用されるのではなく、むしろこの接続に関係なく別の機能を提供する、中間要素の機能デバイスとして理解されるべきである。したがって、機能デバイスは、互いに対して筐体を接続するための接続機能を備えているのではなく、この接続を越えて異なった機能を提供する。
【００１８】
少なくとも１つの、第１筐体要素の第１接続セクションは、例えば第１面セクションから突出した第１支柱によって形成されることが可能である。少なくとも１つの、第２筐体要素の第２接続セクションに関して、第２面セクションから突出した第２支柱によって形成されることも考えられ、且つ可能である。支柱は、例えば１つの支柱から他の支柱内へとネジ係合する形式で、締め付け要素によって互いに対して取り付けられ、互いに対して接続されることが可能である。
【００１９】
具体的な一実施形態において、筐体要素は、例えば各々が長方形の面セクションを備えた長方形の基本形状を有する。支柱形式の接続セクションは、この場合、面セクションの角に配置され、筐体要素を組み立てるために互いに対して取り付けられ、例えば１つの支柱から他の支柱内へとネジ係合する形式で締め付け要素を用いて、互いに対して接続されることが可能である。筐体要素は、例えばプラスチック射出成型部品として、同一に製造されることが可能であり、同一の部品は筐体要素に使用されて、したがって安価であり、同一の部品を使用した筐体の製造を結果的に簡素にする。
【００２０】
筐体の側壁を閉じるために、パネル要素が追加的に設けられることが可能であり、パネル要素は、筐体要素が組み立てられた場合に、インターロックによって筐体要素の間に保持される。この場合、パネル要素は、例えばプラスチック部品または金属部品の形式とすることが可能であり、例えばプラグインコネクタを筐体に取り付けるための開口は、パネル要素に設けられることが可能である。したがって、例えば電気的または電子的機能モジュールに電線を接続するために、パネル要素は、筐体内に収容された特定の電気的または電子的機能モジュールに適合されることが可能である。
【００２１】
原則的に、中間要素の機能デバイスを通じて獲得可能となり得る複数の機能が考えられ、且つ可能である。この点において、以下に記載された多様な機能は、単なる例として理解される。
【００２２】
例えば、機能デバイスは、筐体を壁に固定するための装着デバイスを提供することが可能である。したがって、中間要素に配置された機能デバイスは、筐体を壁に、例えばデバイスの壁または開閉装置キャビネットの壁に固定することを可能にしている。装着デバイスは中間要素に設けられているので、特に筐体の筐体要素に対する調節は、不要である。装着機能は、筐体要素の接続セクションの間に位置する１つ以上の中間要素を用いて提供されることが可能である。
【００２３】
代替的な実施形態において、筐体開口を覆うためのカバー要素も、機能デバイスを通じて設けられることが可能である。したがって、中間要素は例えば壁セクションに接続され、壁セクションは、筐体が装着された場合に、例えば埃からの保護を提供するために、筐体開口を覆う。
【００２４】
代替的に、機能デバイスは、少なくとも１つの部品を筐体に固定するための固定デバイスを形成することが可能である。例えば、所謂ひずみ解放が機能デバイスを通じて提供されることが可能であり、これを用いて、１つ以上の電線が筐体に固定されることが可能であり、それにより電線に作用する引張力は、固定デバイスを通じて緩和され、除去される。
【００２５】
中間要素は、例えば少なくとも１つの第１接続セクションと少なくとも１つの第２接続セクションとの間に配置されることが可能な本体を備えている。したがって、中間要素の本体は、筐体要素の関連した第１接続セクションと第２接続セクションとの間にあり、接続セクションの間にさらなる空間要素を提供して、これにより例えば中間要素が、一側では筐体要素の第１接続セクションにおいて本体に接触し、他側では第２筐体要素の第２接続セクションに支持された空間要素に接続されることが考えられ、且つ可能である。
【００２６】
中間要素の本体は、インターロックすることによって、少なくとも１つの第１接続セクションおよび／または少なくとも１つの第２接続セクションに好適に接続されることが可能である。この目的のために、中間要素の本体には例えばピンが設けられ、ピンは本体から突出して、中間要素の本体をインターロックすることによって第１接続セクションまたは第２接続セクションに固定するために、第１筐体要素第１接続セクションまたは第２筐体要素の第２接続セクションの一部の関連した凹部内に係合することが可能である。したがって、筐体は、その本体を備えた中間要素が、このようにして筐体要素を一体に結合するために、一側では第１接続セクションに、および他側では第２接続セクションに取り付けられるように、単純な方式により装着されることが可能である。筐体要素を例えばネジ形式の固定要素を使用して互いに対して固定することにより、次いで、筐体は、筐体要素の接続セクションの間の中間要素を固定するための、追加の個別の組み立てステップを必要とすることなく装着される。
【００２７】
機能デバイスが装着デバイスの形式をとる場合、スカートは、例えば中間要素の本体に配置されることが可能であり、このスカートは、中間要素の本体から、第１面セクションの方向にまたは第２面セクションの方向に広がっている。例えば、スカートは、断面において第１接続セクションおよび／または第２接続セクションの外側を覆い、接続セクションには中間要素が取り付けられており、これにより、スカートは、接続セクションの外側において、第１筐体要素の第１面セクションに向かって、または第２筐体要素の第２面セクションに向かって延びていてもよい。
【００２８】
筐体のための装着機構は、スカートを通じて設けられることが可能である。このようにして、固定フランジは、スカートから外向きに突出し、固定フランジには固定点が配置され、固定点を用いて、筐体は例えば壁、例えば開閉装置キャビネットの壁またはデバイスの壁に固定されることが可能である。例えば、筐体は固定点を通じて壁にネジ留めされることが可能である。
【００２９】
例えば、筐体の壁への隠れた取付部が設けられた場合、インターロックによって固定要素に接続されるスカートも形成されることが可能である。例えば、固定要素は、筐体がスカートを固定要素に差し込むことによって固定されることが可能であるように、壁に取り付けられることが可能である。この目的のために、例えば１つ以上のラッチピンが固定要素に配置可能であり、このラッチピンは、ラッチ様式でスカートに、例えばスカートに設けられたラッチ開口部に接続されることが可能である。
【００３０】
機能デバイスがカバー要素を形成した場合、機能デバイスは、例えば中間要素の本体から延びて、例えば本体と共に一部品を形成した筐体壁を備えることが可能である。筐体壁は、筐体要素の接続セクションの間に中間要素を装着することによって、本体に固定的に接続され、且つ筐体に固定される。例えば、筐体開口は、筐体壁を用いて閉鎖され、これにより筐体は、例えば埃または湿気から保護される。
【００３１】
有利な実施形態において、機能デバイスがカバー要素の形式をとった場合、筐体壁は、例えば個々に中間要素の本体の対向した側に接続されることが可能であり、中間要素は、第１接続セクションと第２壁セクションとの間に配置されることが可能である。したがって、筐体要素の間の両側に筐体壁を固定することは、２つの中間要素の２つの本体を通じて実行されることが可能であり、これにより、筐体壁は、筐体要素の間に確実に固定される。
【００３２】
機能デバイスが、例えば電線のような部品を筐体に固定するための固定デバイスとして設計された場合、固定デバイスは例えば固定本体を備え、固定本体は中間要素の本体に接続され、例えばその本体と一体的に形成されて、固定本体に、少なくとも１つの電線が固定されることが可能である。この場合、固定デバイスは、例えばひずみ解放を提供することが可能である。電線は、適切な固定要素を用いて固定本体にクランプされることが可能であり、これにより、電線に作用する引張力は、電線を筐体から緩ませることが不可能となる。
【００３３】
この場合も、固定本体が、中間要素の本体の両側に個々に接続されることが考えられ、且つ可能であり、これは、このようにして、筐体要素の間に固定本体を両側において固定することを提供するためである。
【００３４】
他の機能を提供するための他の機能デバイスが、考えられ且つ可能である。例えば、中間要素の機能デバイスは、例えば旋回可能な運搬ハンドルを備えた担持手段を提供することも可能であり、このハンドルによって、筐体は把持され、且つ使用者の手によって運搬されることが可能である。この場合、例えばヒンジ接続部が中間要素の本体に配置されることが可能であり、これを用いて、運搬ハンドルは、中間要素の本体にヒンジ接続の方式で配置されることが可能である。
【００３５】
さらなる機能を提供するために、さらなる要素を筐体に使用することが考えられ、且つ可能である。したがって、筐体のための既定の補助を提供し、且つ筐体が落下した場合に、例えば衝撃力を緩和するための衝撃保護を追加的に提供するコーナー要素は、第１面セクションまたは第２面セクションに外部から装着されることが可能である。コーナー要素は、この場合、各筐体要素の各コーナーに設けられ、これにより、筐体は、コーナー要素の既定の補助を伴って、多様な位置に装着可能である。
【００３６】
筐体要素のコーナーに設けられた他の要素は、例えば構造的に同一のさらなる別の筐体への、筐体の接続のために寄与することが可能である。この場合、多様な筐体が、互いに面した筐体要素のコーナーにおいて、および例えばインターロックによって、コーナー要素の介在と共に互いに対して取り付けられることが可能である。
【００３７】
先に記載されたタイプの筐体のモジュールシステムは、多様な機能デバイスを備えた中間要素のグループを好適に備えている。この場合、複数の中間要素のグループからの任意の中間要素は、筐体を特定の機能または特定の使用に適合させるために、筐体を装着するために選択されることが可能である。例えば同一の部品によって、この部品を用いて、中間要素およびそこに設けられた機能デバイスは、筐体に異なった機能を提供することが可能であり、その部品は筐体要素のために使用され、筐体の多様な有用性および適応性は、少なくともいくつかの必要な部品に関して同一の部品を使用した単純且つ安価な製造に帰結する。
【００３８】
本発明の背後のアイデアは、図に示された例示的な実施形態に基づいて、以下により詳細に説明されている。
【図面の簡単な説明】
【００３９】
【図１】複数の筐体要素から組み立てられる筐体を示した図である。
【図２】組み立てられた状態の筐体を示した図である。
【図３】コーナーの領域における筐体を示した拡大図であり、２つの筐体要素の支柱形式の接続セクションの間に配置された中間要素を備えている。
【図４】接続セクションの中間要素を示した拡大図である。
【図５】別の視点からの、接続セクションにおける中間要素を示した図である。
【図６】装着デバイスの形式の機能デバイスを備えた中間要素を備えた筐体を示した図である。
【図７】装着デバイスの形式の機能デバイスを備えた中間要素を備えた筐体を、組み立てられた筐体と共に示した図である。
【図８】別の装着デバイスの形式の機能デバイスを備えた中間要素を示した図である。
【図９】筐体が締結要素に取り付けられる前の、筐体を示した図である。
【図１０】例えばデバイス壁または開閉装置キャビネット壁のような壁に、筐体を締結するための別の締結要素に取り付ける前の筐体を示した図である。
【図１１】筐体を締結要素から取り外す際の筐体を示した図である。
【図１２】カバー要素の形式の機能デバイスを備えた中間要素を備えた筐体を示した図である。
【図１３Ａ】中間要素を示した図である。
【図１３Ｂ】中間要素を示した図である。
【図１４】電線の形式の部品を筐体に固定するための、締結デバイスの形式の機能デバイスを備えた中間要素を備えた筐体を示した図である。
【図１５】筐体のコーナーにおいてコーナー要素を備えた筐体を示した図である。
【図１６】コーナー要素を通じて互いに対して接続された筐体を示した図である。
【図１７】コーナーに配置されるコーナー要素と共にコーナー領域における筐体を示した図である。
【図１８】コーナーに配置されるコーナー要素を備えた筐体を通じた断面を示した図である。
【図１９】コーナー要素を通じて互いに対して接続された２つの筐体を示した図である。
【発明を実施するための形態】
【００４０】
図１および図２は筐体１の全体像を示しており、この筐体は、筐体半体の形式の２つの筐体要素１０、１１から成り、それらの間に収容されたパネル要素１２を備えている。例えば、筐体１は、単一ボードコンピュータ（コンピュータデバイスが単一の印刷回路基板に配置されている）またはそのようなものの形式の、電気的または電子的機能モジュールのための筐体であり、例えば開閉装置キャビネット内の他の電気的もしくは電子的モジュールと組み合わせられるために、および例えば産業用設備の枠組み内に制御もしくは評価機能を取り入れるために、例えば支持レールに固定されるように設計されることが可能である。
【００４１】
筐体要素１０、１１の各々は面セクション１０１、１１１を備え、各々の面セクションは長方形であり、空間方向Ｘ、Ｙによって定義された平面内に配置され、それらの角において、支柱形式の４つの接続セクション１００、１１０が、高さ方向Ｚに沿って突出している。支柱１００、１１０の形式の接続セクション１００、１１０を通じて、筐体要素１０、１１は、中間要素２の介入を伴って互いに取り付けられ、ネジ形式の固定要素１３を通じて互いに固定されることが可能である。
【００４２】
図２に示された組み立てられた位置において、筐体要素１０、１１は、それらの間にパネル要素１２を受容しており、パネル要素１２が筐体１の側面を形成するようになっている。例えばフライス加工によって、パネル要素１２に例えば開口部が導入されることが可能であり、この開口部を通じて、例えばプラグインコネクタが筐体１に配置されることが可能であり、それは、このようにして、筐体１内に収容された機能モジュールを、電力供給および／またはデータ送信のための電気的接続と共に設けるためである。
【００４３】
機能モジュールの回路基板は、空間的な方向Ｘ、Ｙによって定義された面セクション１０１、１１１の平面に平行な筐体要素１０、１１の両方に固定されることが可能であり、それは、このようにして、筐体１内に機能モジュールを収容するためである。
【００４４】
図１および図２に示された筐体１の場合、筐体要素１０、１１は、例えばプラスチック製の同一の構成の同一の部品として設計されており、特にプラスチック製射出成型部品である。筐体要素１０、１１は、各々が平坦な且つ長方形の面セクション１０１、１１１を備え、それらの角には支柱形状の接続セクション１００、１１０が配置されており、これにより筐体要素１０、１１は、接続セクション１００、１１０を互いに対して接続することにより、互いに接続されることが可能である。
【００４５】
筐体要素１０、１１は、中間要素２の介在を伴って接続されている。正確には、１つの中間要素２は、２つの筐体要素１０、１１の一対の接続セクション１００、１１０の間の各々に配置されており、筐体１が装着された場合、インターロックすることによって接続セクション１００、１１０の間に保持され、互いに対して筐体要素１０、１１を固定する。
【００４６】
図３から図５は、２つの接続セクション１００、１１０間の中間要素２の拡大図を示している。中間要素２は二組のピン２００、２０３を備え、これらのピンは中間要素２の本体２０の異なった側にあり、２つの筐体要素１０、１１の方向に突出しており、筐体１が組み付けられた場合、関連した接続セクション１００、１１０内においてインターロックすることによって係合されている。中間要素２の本体２０の一側には、隆起セクション２０１が形成されており、筐体要素１０の接続セクション１００の一部である適合凹部１０３内に係合する（例えば図１８も参照）。反対側において、中間要素２の本体２０は、対照的に凹部２０２を備え、中間要素２が接続セクション１１０に取り付けられた場合、筐体要素１１の接続セクション１１０の一部であるリブ１１３はこの凹部内に係合する。
【００４７】
組み立ての目的のために、筐体要素１０、１１は、中間要素２の介在を伴って、接続セクション１００、１１０を通じて互いに対して取り付けられ、一旦取り付けられた場合、ネジの形態の固定要素１３を通じて互いに対して固定され、このネジは、一方の接続セクション１００、１１０のピン１０２内の開口部１１４内にねじ込まれて、固定ピン１１２を他方の接続要素１１０、１００に係合させる（図１８参照）。
【００４８】
筐体要素１０、１１は、先述の通り、好適に同一の部品として設計されている。端縁において互いに隣り合って位置した各筐体要素１０、１１の接続セクション１００、１１０は、この場合異なるように設計されており、これにより、固定要素１３は、異なった側から接続セクション１００、１１０内にねじ込まれることが可能であり、これは図１に示されている。例えば、図１において右正面に示された、下側筐体１１の接続セクション１１０は、図３から図５において底部に示された接続セクション１１０と同様に設計されており、一方で図１において左正面に示された接続セクション１１０は、図３から図５において上部に示された接続セクション１００と同様に設計されている。上側筐体要素１０の関連した接続セクション１００は、相補的なデザインであり、これにより接続セクション１００、１１０を備えた筐体要素１０は、中間要素２の介在を伴って適切に互いに対して結合されることが可能である。
【００４９】
図１から図５に示された例示的な実施形態において、中間要素２は、筐体要素１０、１１を、接続セクション１００、１１０を通じて互いに対して接続するために、専用的に使用されている。この場合、中間要素２は、色彩を筐体要素１０、１１と異ならせることが可能であり、これにより中間要素２は、筐体１を特徴づけることが可能なデザイン特性を提供する。
【００５０】
図６および図７の例示的な実施形態おいて、中間要素２は、装着デバイス２１の形式の追加の機能デバイスを備えており、これは、筐体１を例えばデバイス壁または開閉装置キャビネット壁に固定するためのものである。中間要素２に基づいて図６および図７に示されたように、スカート２１５が各中間要素２の本体２０から延びており、筐体要素１１の面セクション１１１に向けられて、外側において筐体要素１１の関連した接続セクション１１０を局所的に覆っている。フランジセクション２１０は、スカート２１５から外向きに突出し、凹部の形式の固定点２１１が、このフランジセクション２１０に設けられており、この凹部に、例えばネジの形式の固定要素が、このようにして筐体１を壁に固定するために取り付けられることが可能である。
【００５１】
装着デバイス２１が中間要素２に配置されることによって、中間要素２は、筐体要素１０、１１を互いに対して接続する機能に加えて、さらなる機能を備える。したがって、筐体１は、筐体要素１０、１１の間に配置された中間要素２を通じて、外部構造ユニットに固定されることが可能である。
【００５２】
すべての中間要素２が、図６および図７に示されたように設計されることが考えられる。しかしながら、いくつかの中間要素２のみ、例えば２つの中間要素２のみが、図６および図７に示されたように、装着デバイス２１を伴って設計されることも考えられ、且つ可能である。
【００５３】
図８および図９の例示的な実施形態において、中間要素２は装着デバイス２１を備え、装着デバイスは、筐体１を壁、例えば開閉装置キャビネットの壁に隠して固定することに寄与することが可能である。スカート２１５は、関連した接続セクション１１０の外側にある中間要素２の本体２０から、筐体要素１１の面セクション１１１の方向に延びており、スカート２１５は、接続セクション１１０の外側において軸方向リブ２１４と接触し、固定要素２２のピン２２１が係合することが可能な自由空間が、スカート２１５と接続セクション１１０との間に生じている。それに加えて、溝２１２がスカート２１５の内側に形成されており、この溝の内部に、スカート２１５と固定要素２２との間の、ラッチピン２２２のラッチラグ２２３を通じたインターロック接続を確立するために、ラッチピン２２２が挿入されることが可能である。
【００５４】
筐体１を壁６に固定するために、固定要素２２は、２つの中間要素２のスカート２１５を伴った筐体１を固定要素２２のピン２２１、２２２に差し込んで、ラッチピン２２２のラッチラグ２２３を通じたインターロック接続を生じさせるために、壁６に取り付けられることが可能である。この場合、筐体１の固定された位置において、ラッチラグ２２３は、関連した中間要素２のスカート２１５のラッチ開口部２１３内に係合する（図９参照）。
【００５５】
ピン２２１、２２２は、軸方向に突出する様式において固定要素２２の本体２２０から延び、これらのピンを通じて、固定要素２２は壁６に固定される。筐体１と壁６との間の、中間要素２のスカート２１５を通じた接続を形成するために、２つの固定要素２２が壁６に取り付けられることが考えられる。しかしながら、１つのみの固定要素２２が、２つの中間要素２のスカート２１５に接続するために使用されることも考えられ、且つ可能である。
【００５６】
図１０の例示的な実施形態において、平坦なパネル要素２３０を備えた固定要素２３が使用されており、固定点２３４を通じて壁６に固定されることが可能である。軸方向突出ピン２３１、２３２は、パネル要素２３０の角に配置されており、ラッチラグ２３３は、筐体１の中間要素２のスカート２１５とのラッチ、インターロック接続を形成するために、中間ラッチピン２３２に設けられている。
【００５７】
図８および図９または図１０の例示的な実施形態において、筐体１が固定された場合、ラッチラグ２２３、２３３は、中間要素２のスカート２１５の関連したラッチ開口部２１３内に係合され、これは図１１に示されている。このようにして、インターロック接続が固定要素２２と２３との間に確立され、この接続を用いて、筐体１は、固定要素２２、２３が装着された壁６上に保持される。
【００５８】
インターロック接続は、例えば図１１に示されたような、ねじ回しの形式の工具７を使用して解除されることが可能である。この目的のために、中間要素２のラッチ開口１１３内のラッチラグ２２３、２３３は、このようにインターロックを解除して、筐体１が固定要素２２、２３から抜き取られることができるようにするために、工具７を用いてアクセスすることが可能である。
【００５９】
図１２および図１３Ａ、図１３Ｂの例示的な実施形態において、２つの中間要素２は、カバー要素２４の形式の機能デバイスを通じて互いに対して連結されている。カバー要素２４は、中間要素２の本体２０と一体的に形成されて、本体２０の間に広がっており、このようにして、中間要素２の本体２０は、カバー要素２４の両側に配置されている。
【００６０】
カバー要素２４は筐体壁２４０を備え、筐体壁は、斜角を有して延び、且つ端壁２４１におよび側方において側壁２４２に隣接している。結果的に、斜めの壁面２４０を備えた箱形状が形成され、この箱は、中間要素２を通じて筐体要素１０、１１に連結されることが可能であり、カバー要素２４は、埃および湿気に対して、外側から筐体１の筐体開口１２０をカバーしている。
【００６１】
図１４の例示的な実施形態において、固定デバイス２５の固定本体２５０は、２つの中間要素２の本体２０の間に広がっており、この固定デバイスを用いて、電線３は筐体１に固定されることが可能であり、これは、ひずみの解放を与え、特に電線３に作用する引張力が、電線３の筐体１からの緩みを生じさせることを防止するためである。関連した中間要素２の本体２０と一体的に形成された固定本体２５０には、固定点２５１が設けられ、この固定点において、クランプによって電線３を固定するための固定要素２５２が、固定本体２５０に取り付けられることが可能である。
【００６２】
固定本体２５０は、筐体要素１１の面セクション１１１に平行な面内に、平坦な態様で広がっている。締結本体２５０は、関連したパネル要素１２の正面に、隣接した中間要素２の本体２０の間に広がったリブを提供している。筐体１内に収容された電気的または電子的機能モジュールは、電線３を通じて外部の電気的または電子的機能モジュールに接続されることが可能である。この目的のために、プラグインコネクタ３０が、電線３に設けられることが可能であり、電気的接触を確立するために、このプラグインコネクタをパネル要素１２の関連したプラグインコネクタに接続することが可能である。
【００６３】
図１５から図１９の例示的な実施形態において、コーナー要素４、５が追加で設けられ、これらの要素は、筐体１のためのサポート（図１５のコーナー要素４）を形成することが可能であり、またはこれらの要素を用いて、筐体１の別のさらなる筐体１への接続が形成されることが可能である（図１６のコーナー要素１６）。
【００６４】
特定のサポートを提供するためのコーナー要素４は、ピン４２を用いて、例えば筐体要素１０、１１の開口１４内に挿入されることが可能である。筐体要素１０、１１は、開口１４を通じてネジの形式の固定要素を使用して、互いに対して固定されている。コーナー要素４が筐体要素１０、１１に取り付けられた場合、スカート４１は、外側において筐体要素１０、１１のコーナーを覆い、筐体１のための特定のサポートが、支持セクション４０を用いて設けられる。
【００６５】
２つの筐体１の筐体要素１０と１１との間に配置されたコーナー要素５を用いて、同一のまたは類似したデザインの２つの筐体１は、互いの上に配置されて、互いに対して接続されることが可能である。ピン５３を用いて、各コーナー要素５は、この場合筐体１の筐体要素１１の開口１４内に係合し、別の反対側のピンを用いて、他の筐体１の他の筐体要素１０の開口内に係合する（図１９参照）。筐体１のコーナーは、各々がスカート５１、５２によって外側において覆われている。本体５０は筐体要素１０と１１との間に位置し、これにより筐体１は、決められた方法において、例えば互いから決められた距離において配置される。
【００６６】
前述のタイプの中間要素２は、例えばプラスチック射出成型部品として、好適にプラスチックから形成されている。
【００６７】
コーナー要素４、５は、例えばエラストマまたはゴム材料のような、例えば柔らかい材料から形成されることが可能である。
【００６８】
その筐体要素１０、１１、パネル要素１２、および一群の多様な中間要素２を備えた筐体１は、キットとして入手可能であるように形成されることが可能である。したがって、使用者は、使用者の要求および意図した特定の用途を念頭に置いて、入手可能な一群の中間要素２から適切な中間要素２を選択することによって、適切な筐体１を組み立てることが可能である。
【００６９】
本発明の基礎となるアイデアは、前述の例示的な実施形態に限定されるものではなく、完全に多様な方法において実現されることも可能である。
【００７０】
例えば筐体を担持するための担持手段のような、ここに記載されたもの以外の他の機能デバイスが、中間要素に設けられることも可能である。そのような担持要素の枠組みに、使用者が手によって筐体を把持し且つ運搬することを可能にするために、ハンドルがヒンジ形式で筐体に取り付けられことが可能である。
【００７１】
しかしながら、全く異なった種類の機能デバイスも、例えば機械的、電気的または他の機能を提供するために、考えられ且つ可能である。
【符号の説明】
【００７２】
１  ・・・筐体
１０、１１  ・・・筐体要素
１００、１１０  ・・・接続セクション（支柱）
１０１、１１１  ・・・面セクション
１０２、１１２  ・・・ピン
１０３  ・・・凹部
１１３  ・・・リブ
１２  ・・・パネル要素
１２０  ・・・開口
１３  ・・・固定要素（ネジ）
１４  ・・・開口
２  ・・・中間要素
２０  ・・・本体
２００  ・・・ピン
２０１  ・・・隆起セクション
２０２  ・・・凹部
２０３  ・・・ピン
２１  ・・・装着デバイス
２１０  ・・・固定フランジ
２１１  ・・・固定点
２１２  ・・・溝
２１３  ・・・ラッチ開口部
２１４  ・・・リブ
２１５  ・・・スカート
２２  ・・・固定要素
２２０  ・・・本体
２２１  ・・・ピン
２２２  ・・・ラッチピン
２２３  ・・・ラッチ要素（ラッチラグ）
２３  ・・・固定要素
２３０  ・・・パネル要素
２３１  ・・・ピン
２３２  ・・・ラッチピン
２３３  ・・・ラッチ要素（ラッチラグ）
２３４  ・・・固定点
２４  ・・・カバー要素
２４０  ・・・筐体壁
２４１  ・・・端壁
２４２  ・・・側壁
２５  ・・・固定デバイス
２５０  ・・・固定本体（パネル要素）
２５１  ・・・固定点
２５２  ・・・固定要素
３  ・・・電線
３０  ・・・プラグインコネクタ
４  ・・・コーナー要素
４０  ・・・支持セクション
４１  ・・・スカート
４２  ・・・ピン
５  ・・・コーナー要素
５０  ・・・本体
５１、５２  ・・・スカート
５３  ・・・ピン
６  ・・・壁
７  ・・・工具
Ｘ、Ｙ、Ｚ  ・・・空間方向
【図１】
2020515072.tif 000003
【図２】
2020515072.tif 000004
【図３】
2020515072.tif 000005
【図４】
2020515072.tif 000006
【図５】
2020515072.tif 000007
【図６】
2020515072.tif 000008
【図７】
2020515072.tif 000009
【図８】
2020515072.tif 000010
【図９】
2020515072.tif 000011
【図１０】
2020515072.tif 000012
【図１１】
2020515072.tif 000013
【図１２】
2020515072.tif 000014
【図１３Ａ】
2020515072.tif 000015
【図１３Ｂ】
2020515072.tif 000016
【図１４】
2020515072.tif 000017
【図１５】
2020515072.tif 000018
【図１６】
2020515072.tif 000019
【図１７】
2020515072.tif 000020
【図１８】
2020515072.tif 000021
【図１９】
2020515072.tif 000022
【国際調査報告】
2020515072.tif 000023
2020515072.tif 000024
2020515072.tif 000025
2020515072.tif 000026